(57)【要約】【課題】少ない部品点数で構成することができ、電源効率を有効に改善することができるスイッチング電源装置を提供する。【解決手段】直流入力電力をスイッチング動作により交流電力に変換するスイッチング回路（Ｓ１〜Ｓ４）と、１次巻線（Ｌ１）に前記交流電力が供給されると共に２次巻線（Ｌ１２，Ｌ１２）の一端が接地されたトランス（Ｔ）と、前記トランスの２次巻線の他端にアノードが接続され、該２次巻線に誘起された電力を整流する第一のダイオード（Ｄ１１）と、前記第一のダイオードのカソードにアノードが接続された第二のダイオード（Ｄ１３）と、前記第二のダイオードのカソードに一端が接続されると共に他端が接地されたコンデンサ（Ｃ）と、前記コンデンサを電源とする負荷（１００）と、前記第一のダイオードによって整流された電力を平滑する平滑回路（Ｌｏｕｔ，Ｃｏｕｔ）とを備える。【選択図】図１
2007318964.tif 000002
【特許請求の範囲】
【請求項１】
直流入力電力をスイッチング動作により交流電力に変換するスイッチング回路（Ｓ１〜Ｓ４）と、
１次巻線（Ｌ１）に前記交流電力が供給されると共に２次巻線（Ｌ１２，Ｌ１２）の一端が接地されたトランス（Ｔ）と、
前記トランスの２次巻線の他端にアノードが接続され、該２次巻線に誘起された電力を整流する第一のダイオード（Ｄ１１）と、
前記第一のダイオードのカソードにアノードが接続された第二のダイオード（Ｄ１３）と、
前記第二のダイオードのカソードに一端が接続されると共に他端が接地されたコンデンサ（Ｃ）と、
前記コンデンサを電源とする負荷（１００）と、
前記第一のダイオードによって整流された電力を平滑する平滑回路（Ｌｏｕｔ，Ｃｏｕｔ）と
を備えたスイッチング電源装置。
【請求項２】
直流入力電力をスイッチング動作により交流電力に変換するスイッチング回路（Ｓ５）と、
１次巻線に前記交流電力が供給されると共に２次巻線の一端が接地されたトランス（Ｔ２０）と、
前記トランスの２次巻線の他端にアノードが接続され、該２次巻線に誘起された電力を整流する第一のダイオード（Ｄ２０）と、
前記第一のダイオードのカソードと前記２次巻線の一端との間に接続された転流用の第二のダイオード（Ｄ２１）と、
前記第一のダイオードのカソードにアノードが接続された第三のダイオード（Ｄ２３）と、
前記第三のダイオードのカソードに一端が接続されると共に他端が前記第一のダイオードのアノードに接続された第一のコンデンサ（Ｃ２１）と、
前記第一のコンデンサを電源とする第一の負荷（１００）と、
前記第二のダイオードのカソードにアノードが接続された第四のダイオード（Ｄ２２）と、
前記第四のダイオードのカソードに一端が接続されると共に他端が接地された第二のコンデンサ（Ｃ２０）と、
前記第二のコンデンサを電源とする第二の負荷（１０１）と、
前記第一のダイオードによって整流された電力を平滑する平滑回路（Ｌｏｕｔ，Ｃｏｕｔ）と
を備えたスイッチング電源装置。
【請求項３】
直流入力電力をスイッチング動作により交流電力に変換するスイッチング回路（Ｓ５）と、
１次巻線に前記交流電力が供給されると共に２次巻線の一端が接地されたトランス（Ｔ３０）と、
前記トランスの２次巻線の他端にアノードが接続され、該２次巻線に誘起された電力を整流する第一のダイオード（Ｄ３０）と、
前記第一のダイオードのカソードにアノードが接続された第三のダイオード（Ｄ３２）と、
前記第三のダイオードのカソードに一端が接続されると共に他端が前記第一のダイオードのアノードに接続されたコンデンサ（Ｃ３１）と、
前記コンデンサを電源とする負荷（１００）と、
前記第一のダイオードによって整流された電力を平滑する平滑回路（Ｃｏｕｔ）と
を備えたスイッチング電源装置。
【請求項４】
直流入力電力をスイッチング動作により交流電力に変換するスイッチング回路（Ｓ５）と、
１次巻線に前記交流電力が供給されたトランス（Ｔ４０）と、
前記トランスの２次巻線の一端にカソードが接続されると共にアノードが接地され、該２次巻線に誘起された電力を整流する第一のダイオード（Ｄ４０）と、
前記第一のダイオードのアノードと前記２次巻線の他端との間に接続された転流用の第二のダイオード（Ｄ４１）と、
前記第一のダイオードのカソードにアノードが接続された第三のダイオード（Ｄ４２）と、
前記第三のダイオードのカソードに一端が接続されると共に他端が接地された第一のコンデンサ（Ｃ４０）と、
前記第一のコンデンサを電源とする第一の負荷（１０１）と、
前記第二のダイオードのカソードにアノードが接続された第四のダイオード（Ｄ４３）と、
前記第四のダイオードのカソードに一端が接続されると共に他端が接地された第二のコンデンサ（Ｃ４１）と、
前記第二のコンデンサを電源とする第二の負荷（１０２）と、
前記第一のダイオードによって整流された電力を平滑する平滑回路（Ｌｏｕｔ，Ｃｏｕｔ）と
を備えたスイッチング電源装置。
【請求項５】
直流入力電力をスイッチング動作により交流電力に変換するスイッチング回路（Ｓ５）と、
１次巻線に前記交流電力が供給されたトランス（Ｔ５０）と、
前記トランスの２次巻線の一端にカソードが接続されると共にアノードが接地され、該２次巻線に誘起された電力を整流する第一のダイオード（Ｄ５０）と、
前記第一のダイオードのカソードにアノードが接続された第二のダイオード（Ｄ５１）と、
前記第二のダイオードのカソードに一端が接続されると共に他端が接地されたコンデンサ（Ｃ５０）と、
前記コンデンサを電源とする負荷（１０１）と、
前記第一のダイオードによって整流された電力を平滑する平滑回路（Ｃｏｕｔ）と
を備えたスイッチング電源装置。
【請求項６】
直流入力電力をスイッチング動作により交流電力に変換するスイッチング回路（Ｓ１〜Ｓ４）と、
１次巻線に前記交流電力が供給されたトランス（Ｔ６０）と、
前記トランスの２次巻線の一端にカソードが接続されると共にアノードが接地された第一のダイオード（Ｄ６０）と、
前記トランスの２次巻線の他端にカソードが接続されると共にアノードが接地された第二のダイオード（Ｄ６１）と、
前記トランスの２次巻線の一端にアノードが接続された第三のダイオード（Ｄ６２）と、
前記トランスの２次巻線の他端にアノードが接続された第四のダイオード（Ｄ６３）と、
前記第一のダイオードのカソードにアノードが接続された第五のダイオード（Ｄ６４）と、
前記第二のダイオードのカソードにアノードが接続された第六のダイオード（Ｄ６５）と、
前記第三のダイオードのカソードにアノードが接続された第七のダイオード（Ｄ６６）と、
前記第四のダイオードのカソードにアノードが接続された第八のダイオード（Ｄ６７）と、
前記第五のダイオードのカソードに一端が接続されると共に他端が接地された第一のコンデンサ（Ｃ６０）と、
前記第六のダイオードのカソードに一端が接続されると共に他端が接地された第二のコンデンサ（Ｃ６１）と、
前記第七のダイオードのカソードに一端が接続されると共に他端が接地された第三のコンデンサ（Ｃ６２）と、
前記第八のダイオードのカソードに一端が接続されると共に他端が接地された第四のコンデンサ（Ｃ６３）と、
前記第一のコンデンサを電源とする第一の負荷（１０１）と、
前記第二のコンデンサを電源とする第二の負荷（１０２）と、
前記第三のコンデンサを電源とする第三の負荷（１０３）と、
前記第四のコンデンサを電源とする第四の負荷（１０４）と、
前記第三及び第四のダイオードのカソードに現れる電力を平滑する平滑回路（Ｌｏｕｔ，Ｃｏｕｔ）と
を備えたスイッチング電源装置。
【発明の詳細な説明】
【技術分野】
【０００１】
本発明は、スイッチング電源装置に関し、特にスイッチング電源装置が備えるトランスの２次側に設けられた整流用のダイオードで発生するサージを抑制するための技術に関するものである。
【背景技術】
【０００２】
図７に従来のスイッチング電源装置の構成を示す。同図に示すスイッチング電源装置は、入力コンデンサＣｉｎ、スイッチＳ１〜Ｓ４、トランスＴ、整流用ダイオードＤ１１、Ｄ１２、出力インダクタＬｏｕｔ、出力コンデンサＣｏｕｔを備えて構成される。
このスイッチング電源装置によれば、入力端子ＴＩＮ１と入力端子ＴＩＮ２との間に印加された所定電圧（Ｖｉｎ）の直流入力電力が、スイッチＳ１〜Ｓ４からなるフルブリッジ回路のスイッチング動作により交流電力に一旦変換されてトランスＴの１次巻線Ｌ１に供給される。
【０００３】
トランスＴの２次巻線Ｌ１１、Ｌ１２には、その１次巻線Ｌ１に供給された交流電力により所望電圧の交流電力が誘起される。この２次巻線Ｌ１１、Ｌ１２誘起された交流電力は、整流用ダイオードＤ１１、Ｄ１２により整流された後、出力インダクタＬｏｕｔ及び出力コンデンサＣｏｕｔによって平滑化され、電圧Ｖｏｕｔの直流電力となる。そして、出力端子ＴＯＵＴ１を介して電圧Ｖｏｕｔの直流電力が外部に出力される。
【０００４】
ところで、上述のスイッチング電源装置によれば、２次巻線Ｌ１１、Ｌ１２を流れる電流の向きが切り替わる際に、この２次巻線の寄生インダクタンスに起因して、整流用ダイオードＤ１１、Ｄ１２のカソード側に、図８に示すようなサージが発生する。即ち、２次巻線Ｌ１１、Ｌ１２を流れる電流の向きが切り替わると、整流用ダイオードＤ１１、Ｄ１２が逆バイアス状態とされるが、このとき、いわゆるリカバリ期間において上記寄生インダクタンスに蓄えられたエネルギーが放出され、これがサージとなって整流用ダイオードＤ１１、Ｄ１２に印加される。
【０００５】
一般には、上述のサージは、整流用ダイオードＤ１１、Ｄ１２に対してＣＲスナバ回路を併設することにより、ある程度は改善できる。しかし、ＣＲスナバ回路は、抵抗素子で電力消費することによりサージを吸収することを基本原理としているため、本来的に電力損失を伴い、電源効率低下の原因となる。特に、２次側の整流用ダイオードの個数が増えると、それらに併設されるＣＲスナバ回路の数も増えるため、電力損失が一層増加する。又、ＣＲスナバ回路でサージを吸収する際に抵抗素子が発熱するため、その放熱性を考慮すると抵抗素子のサイズが大きくなる。
【０００６】
このようなＣＲスナバ回路の問題を解決する従来技術として、サージエネルギーを一旦コイルに蓄えて出力側に放出する無損失スナバ回路がある（特許文献１参照）。
【特許文献１】特開平０９−２２４３７４号公報
【発明の開示】
【発明が解決しようとする課題】
【０００７】
しかしながら、上述の従来技術に係る無損失スナバ回路によれば、サージを出力側に放出するまでの電流経路上に多数の素子が介在し、これらの各素子で電力損失が発生するため、電源効率の改善には限界があるという問題がある。
【０００８】
本発明は上記事情を考慮してなされたもので、その目的は、少ない素子でサージを吸収することができ、電源効率を有効に改善することができるスイッチング電源装置を提供する事である。
【課題を解決するための手段】
【０００９】
本発明は、直流入力電力をスイッチング動作により交流電力に変換するスイッチング回路（Ｓ１〜Ｓ４）と、１次巻線（Ｌ１）に前記交流電力が供給されると共に２次巻線（Ｌ１２，Ｌ１２）の一端が接地されたトランス（Ｔ）と、前記トランスの２次巻線の他端にアノードが接続され、該２次巻線に誘起された電力を整流する第一のダイオード（Ｄ１１）と、前記第一のダイオードのカソードにアノードが接続された第二のダイオード（Ｄ１３）と、前記第二のダイオードのカソードに一端が接続されると共に他端が接地されたコンデンサ（Ｃ）と、前記コンデンサを電源とする負荷（１００）と、前記第一のダイオードによって整流された電力を平滑する平滑回路（Ｌｏｕｔ，Ｃｏｕｔ）とを備えたスイッチング電源装置の構成を有する。
【００１０】
本発明は、直流入力電力をスイッチング動作により交流電力に変換するスイッチング回路（Ｓ５）と、１次巻線に前記交流電力が供給されると共に２次巻線の一端が接地されたトランス（Ｔ２０）と、前記トランスの２次巻線の他端にアノードが接続され、該２次巻線に誘起された電力を整流する第一のダイオード（Ｄ２０）と、前記第一のダイオードのカソードと前記２次巻線の一端との間に接続された転流用の第二のダイオード（Ｄ２１）と、前記第一のダイオードのカソードにアノードが接続された第三のダイオード（Ｄ２３）と、前記第三のダイオードのカソードに一端が接続されると共に他端が前記第一のダイオードのアノードに接続された第一のコンデンサ（Ｃ２１）と、前記第一のコンデンサを電源とする第一の負荷（１００）と、前記第二のダイオードのカソードにアノードが接続された第四のダイオード（Ｄ２２）と、前記第四のダイオードのカソードに一端が接続されると共に他端が接地された第二のコンデンサ（Ｃ２０）と、前記第二のコンデンサを電源とする第二の負荷（１０１）と、前記第一のダイオードによって整流された電力を平滑する平滑回路（Ｌｏｕｔ，Ｃｏｕｔ）とを備えたスイッチング電源装置の構成を有する。
【００１１】
本発明は、直流入力電力をスイッチング動作により交流電力に変換するスイッチング回路（Ｓ５）と、１次巻線に前記交流電力が供給されると共に２次巻線の一端が接地されたトランス（Ｔ３０）と、前記トランスの２次巻線の他端にアノードが接続され、該２次巻線に誘起された電力を整流する第一のダイオード（Ｄ３０）と、前記第一のダイオードのカソードにアノードが接続された第三のダイオード（Ｄ３２）と、前記第三のダイオードのカソードに一端が接続されると共に他端が前記第一のダイオードのアノードに接続されたコンデンサ（Ｃ３１）と、前記コンデンサを電源とする負荷（１００）と、前記第一のダイオードによって整流された電力を平滑する平滑回路（Ｃｏｕｔ）とを備えたスイッチング電源装置の構成を有する。
【００１２】
本発明は、直流入力電力をスイッチング動作により交流電力に変換するスイッチング回路（Ｓ５）と、１次巻線に前記交流電力が供給されたトランス（Ｔ４０）と、前記トランスの２次巻線の一端にカソードが接続されると共にアノードが接地され、該２次巻線に誘起された電力を整流する第一のダイオード（Ｄ４０）と、前記第一のダイオードのアノードと前記２次巻線の他端との間に接続された転流用の第二のダイオード（Ｄ４１）と、前記第一のダイオードのカソードにアノードが接続された第三のダイオード（Ｄ４２）と、前記第三のダイオードのカソードに一端が接続されると共に他端が接地された第一のコンデンサ（Ｃ４０）と、前記第一のコンデンサを電源とする第一の負荷（１０１）と、前記第二のダイオードのカソードにアノードが接続された第四のダイオード（Ｄ４３）と、前記第四のダイオードのカソードに一端が接続されると共に他端が接地された第二のコンデンサ（Ｃ４１）と、前記第二のコンデンサを電源とする第二の負荷（１０２）と、前記第一のダイオードによって整流された電力を平滑する平滑回路（Ｌｏｕｔ，Ｃｏｕｔ）とを備えたスイッチング電源装置の構成を有する。
【００１３】
本発明は、直流入力電力をスイッチング動作により交流電力に変換するスイッチング回路（Ｓ５）と、１次巻線に前記交流電力が供給されたトランス（Ｔ５０）と、前記トランスの２次巻線の一端にカソードが接続されると共にアノードが接地され、該２次巻線に誘起された電力を整流する第一のダイオード（Ｄ５０）と、前記第一のダイオードのカソードにアノードが接続された第二のダイオード（Ｄ５１）と、前記第二のダイオードのカソードに一端が接続されると共に他端が接地されたコンデンサ（Ｃ５０）と、前記コンデンサを電源とする負荷（１０１）と、前記第一のダイオードによって整流された電力を平滑する平滑回路（Ｃｏｕｔ）とを備えたスイッチング電源装置の構成を有する。
【００１４】
本発明は、直流入力電力をスイッチング動作により交流電力に変換するスイッチング回路（Ｓ１〜Ｓ４）と、１次巻線に前記交流電力が供給されたトランス（Ｔ６０）と、前記トランスの２次巻線の一端にカソードが接続されると共にアノードが接地された第一のダイオード（Ｄ６０）と、前記トランスの２次巻線の他端にカソードが接続されると共にアノードが接地された第二のダイオード（Ｄ６１）と、前記トランスの２次巻線の一端にアノードが接続された第三のダイオード（Ｄ６２）と、前記トランスの２次巻線の他端にアノードが接続された第四のダイオード（Ｄ６３）と、前記第一のダイオードのカソードにアノードが接続された第五のダイオード（Ｄ６４）と、前記第二のダイオードのカソードにアノードが接続された第六のダイオード（Ｄ６５）と、前記第三のダイオードのカソードにアノードが接続された第七のダイオード（Ｄ６６）と、前記第四のダイオードのカソードにアノードが接続された第八のダイオード（Ｄ６７）と、前記第五のダイオードのカソードに一端が接続されると共に他端が接地された第一のコンデンサ（Ｃ６０）と、前記第六のダイオードのカソードに一端が接続されると共に他端が接地された第二のコンデンサ（Ｃ６１）と、前記第七のダイオードのカソードに一端が接続されると共に他端が接地された第三のコンデンサ（Ｃ６２）と、前記第八のダイオードのカソードに一端が接続されると共に他端が接地された第四のコンデンサ（Ｃ６３）と、前記第一のコンデンサを電源とする第一の負荷（１０１）と、前記第二のコンデンサを電源とする第二の負荷（１０２）と、前記第三のコンデンサを電源とする第三の負荷（１０３）と、前記第四のコンデンサを電源とする第四の負荷（１０４）と、前記第三及び第四のダイオードのカソードに現れる電力を平滑する平滑回路（Ｌｏｕｔ，Ｃｏｕｔ）とを備えたスイッチング電源装置の構成を有する。
【発明の効果】
【００１５】
本発明によれば、整流用のダイオードのカソード側に、ダイオードとコンデンサの直列回路を設け、サージのエネルギーによる電力をコンデンサに蓄積するようにしたので、簡単な構成で電力損失を小さく抑えながらサージを吸収することができる。従って、電源効率を有効に改善することが可能になる。
【発明を実施するための最良の形態】
【００１６】
＜第一の実施形態＞
以下、図面を参照して本発明の第一の実施形態について説明する。
図１に、本実施形態に係るスイッチング電源装置の構成例を示す。同図において、前述の図７に示す要素と共通する要素には同一符号を付す。
【００１７】
図１に示すスイッチング電源装置は、図７に示す構成と比較して、ダイオードＤ１３、電解コンデンサＣ、電力再利用回路１００を更に備えている。このうち、ダイオードＤ１３及び電解コンデンサＣは、整流用ダイオードＤ１１、Ｄ１２に発生するサージを吸収するためのサージ吸収回路（スナバ回路）を構成する。このサージ吸収回路に吸収されたサージエネルギーによる電力は、電力再利用回路１００に供給され、この電力再利用回路１００においてサージエネルギーによる電力が再利用されるようになっている。
【００１８】
ここで、構成を詳細に説明すると、入力端子ＴＩＮ１と入力端子ＴＩＮ２との間には、入力コンデンサＣｉｎが接続されると共に、スイッチＳ１及びスイッチＳ２がこの順に直列接続され、且つ、スイッチＳ３及びスイッチＳ４がこの順に直列接続される。スイッチＳ１とスイッチＳ２との間の接続点には、トランスＴの１次巻線Ｌ１の一端が接続され、スイッチＳ３とスイッチＳ４との間の接続点には、上記１次巻線Ｌ１の他端が接続される。このうち、スイッチＳ１、Ｓ２、Ｓ３、Ｓ４は、フルブリッジ型のスイッチング回路を構成している。但し、これに限定されず、例えばハーフブリッジ型などの他のスイッチング回路でも良い。
【００１９】
トランスＴの２次巻線Ｌ１１の一端は、２次巻線Ｌ１２の一端と共に出力端子ＴＯＵＴ２を介してグランドに接地される。２次巻線Ｌ１１の他端は、整流用ダイオードＤ１１のアノードに接続され、２次巻線Ｌ１２の他端は、整流用ダイオードＤ１２のアノードに接続される。これら整流用ダイオードＤ１１、Ｄ１２の各カソードは出力インダクタＬｏｕｔの一端に共通接続され、この出力インダクタＬｏｕｔの他端は出力端子ＴＯＵＴ１に接続される。また、出力インダクタＬｏｕｔのカソードには、出力コンデンサＣｏｕｔの一端が接続され、この出力コンデンサＣｏｕｔの他端は出力端子ＴＯＵＴ２を介して接地される。これら出力インダクタＬｏｕｔと出力コンデンサＣｏｕｔはダイオードＤ１１，Ｄ１２によって整流された電力を平滑するための平滑回路を構成する。
【００２０】
本発明の特徴部に係るサージ吸収回路を構成するダイオードＤ１３のアノードは整流用ダイオードＤ１１とＤ１２の各カソードに共通接続され、ダイオードＤ１３のカソードは電解コンデンサＣの一端に接続され、この電解コンデンサＣの他端は接地される。ダイオードＤ１３と電解コンデンサＣとの間の接続点には、電解コンデンサＣを電源として機能する電力再利用回路１００の入力部が接続される。
【００２１】
電力再利用回路１００は、電界コンデンサＣに蓄積されたサージエネルギーによる電力を内部で所望の直流電力に変換して再利用するものであり、スイッチＳ６、トランスＴ２、ダイオードＤ１、出力コンデンサＣｏｕｔ２、負荷Ｒｌｏａｄから構成される。このうち、スイッチＳ６、トランスＴ２、ダイオードＤ１、出力コンデンサＣｏｕｔ２は、負荷Ｒｌｏａｄに所望電力を給電する内部電源回路を構成し、負荷Ｒｌｏａｄは、上記内部電源回路から供給される電力で動作する任意の装置である。
【００２２】
電力再利用回路１００の構成を詳細に説明すると、トランスＴ２の１次巻線Ｌ２の一端は、電力再利用回路１００の入力部として上記ダイオードＤ１３と電解コンデンサＣとの間の接続点に接続され、トランスＴ２の１次巻線Ｌ２の他端は、所定のスイッチング動作をするスイッチＳ６を介して接地される。トランスＴ２の２次巻線Ｌ３の一端には、ダイオードＤ１のアノードが接続され、このダイオードＤ１のカソードは端子ＴＯＵＴ３に接続される。また、２次巻線Ｌ３の他端は端子ＴＯＵＴ４を介して接地される。
【００２３】
端子ＴＯＵＴ３と端子ＴＯＵＴ４との間には、平滑回路として出力コンデンサＣｏｕｔ２が接続される。また、端子ＴＯＵＴ３と端子ＴＯＵＴ４との間には負荷Ｒｌｏａｄが接続される。
なお、電力再利用回路１００は一例にすぎず、電界コンデンサＣに蓄積されたサージエネルギーによる電力を利用するものである限り、どのような構成であってもよい。
【００２４】
次に、第一の実施形態に係るスイッチング電源装置の動作を説明する。
スイッチＳ１〜Ｓ４からなるスイッチング回路が所定のスイッチング動作（周知のスイッチング動作）を実施することにより、入力端子ＴＩＮ１を介して供給された直流入力電力が交流電力に変換されてトランスＴの１次巻線Ｌ１に供給される。これにより１次巻線Ｌ１には交番電流が発生し、この１次巻線Ｌ１と磁気的に結合された２次巻線Ｌ１１、Ｌ１２に交流電力がそれぞれ誘起される。
【００２５】
具体的には、スイッチＳ１，Ｓ４が閉じ、且つスイッチＳ２，Ｓ３が開いている場合には、整流用ダイオードＤ１２に順方向電流が流れる向きに２次巻線Ｌ１２に電力が誘起され、その際に２次巻線Ｌ１１に誘起された電力によれば、整流用ダイオードＤ１１は逆バイアス状態となるので整流用ダイオードＤ１１には電流が流れない。一方、スイッチＳ２，Ｓ３が閉じ、且つスイッチＳ１，Ｓ４が開いている場合には、整流用ダイオードＤ１１に順方向電流が流れる向きに２次巻線Ｌ１１に電力が誘起され、その際に２次巻線Ｌ１２に誘起された電力によれば、整流用ダイオードＤ１２は逆バイアス状態となるので整流用ダイオードＤ１２には電流が流れない。
【００２６】
これにより、トランスＴの２次巻線Ｌ１１、Ｌ１２に誘起された各交流電力は整流用ダイオードＤ１１、Ｄ１２によって整流される。整流用ダイオードＤ１１、Ｄ１２によって整流された電力は、出力インダクタＬｏｕｔ及び出力コンデンサＣｏｕｔによって平滑され、所望電圧Ｖｏｕｔの直流電力として出力端子ＴＯＵＴ１，ＴＯＵＴ２を介して外部に出力される。
【００２７】
ここで、スイッチＳ１，Ｓ４が閉じた状態から開いた状態に切り替わると共にスイッチＳ２、Ｓ３が開いた状態から閉じた状態に切り替わる場合を考える。この場合、１次巻線Ｌ１を流れる交番電流の向きが切り替わり、２次巻線Ｌ１１、Ｌ１２を流れる各電流の向きが切り替わる際に、整流用ダイオードＤ１１、Ｄ１２のうち、順バイアス状態から逆バイアス状態に移行するダイオードＤ１２のカソード側に寄生インダクタンスに起因するサージが発生する。
【００２８】
上述の寄生インダクタンスに起因するサージは次のようなメカニズムで発生する。
まず、2次巻線Ｌ１２に流れる電流が整流用ダイオードＤ１２の順方向に流れている初期状態を考える。この初期状態から、１次巻線Ｌ１に流れる電流の向きが切り替わると、それに伴い２次巻線Ｌ１１，Ｌ１２に流れる電流の方向も切り替わる。その結果、整流用ダイオードＤ１２が逆バイアス状態になると共に整流用ダイオードＤ１１が順バイアス状態になる。
【００２９】
整流用ダイオードＤ１２が逆バイアス状態になった直後のいわゆるリカバリ時間に相当する期間、整流用ダイオードＤ１２は逆方向に電流を流し得る状態になっている。このため、２次巻線Ｌ１１，Ｌ１２に誘起された各電圧を足し合わせた過大な電圧が整流用ダイオードＤ１２に印加され、上記リカバリ時間に相当する期間、整流用ダイオードＤ１２には過大な逆方向電流が瞬時的に流れる。この過大な逆方向電流は、整流用ダイオードＤ１２のカソード側に存在する寄生インダクタンスを流れ、この寄生インダクタンスに上記逆方向電流による磁気エネルギーが蓄えられる。
【００３０】
その後、リカバリ時間が経過すると、整流用ダイオードＤ１２は上記逆方向電流を阻止するように作用するが、この逆方向電流が阻止されると、上記寄生インダクタンスは、その特性上、磁気エネルギーを放出してそれまでの逆方向電流を維持するように作用する。このため、整流用ダイオードＤ１２のカソードの電圧が急上昇してサージが発生する。
【００３１】
上述のように発生したサージはサージ吸収回路を構成するダイオードＤ１３を介して電解コンデンサＣに供給され、この電解コンデンサＣを充電する。即ち、整流用ダイオードＤ１１，Ｄ１２で発生したサージのエネルギーは電力として電解コンデンサＣに蓄積される。この後、１次巻線Ｌ１の電流の方向が切り替わると、整流用ダイオードＤ１２が順バイアス状態になると共に整流用ダイオードＤ１１が逆バイアス状態になり、この逆バイアス状態になった整流用ダイオードＤ１１のカソード側に同様のサージが発生する。このサージもダイオードＤ１３を介して電解コンデンサＣに供給され、この電解コンデンサＣを充電する。このように、整流用ダイオードＤ１１，Ｄ１２のカソード側で発生したサージは電力として電解コンデンサＣに蓄積される。
【００３２】
電解コンデンサＣに蓄積された電力は、電力再利用回路１００において適切な直流電力に変換されて負荷Ｒｌｏａｄに供給される。図１に示す例では、電解コンデンサＣに蓄積された電力は、電力再利用回路１００を構成するトランスＴ２の１次巻線Ｌ２の一端に供給され、スイッチＳ６のスイッチング動作により２次巻線Ｌ３に所望電圧の電力が誘起される。２次巻線Ｌ３に誘起された電力はダイオードＤ１によって整流された後、出力コンデンサＣｏｕｔ２によって平滑され、端子ＴＯＵＴ３，ＴＯＵＴ４を介して負荷Ｒｌｏａｄに供給される。このように、電解コンデンサＣに蓄積された電力は、最終的には負荷Ｒｌｏａｄの動作電源として有効利用される。
【００３３】
本第一の実施形態によれば、整流用ダイオードＤ１１、Ｄ１２のカソード側に発生した各サージは、即座にダイオードＤ１３を介して電解コンデンサＣの充電に費やされるので、実質的にサージが顕在化しない。又、整流用ダイオードＤ１１，Ｄ１２のカソード側に発生したサージが電解コンデンサＣに供給されるまでの経路上には、１個のダイオードＤ１３が存在するだけである。
【００３４】
従って、サージが電解コンデンサＣに供給されるまでの経路上で発生する損失を最小限に抑えることができる。更に、電解コンデンサＣに蓄積されたサージによる電力は、負荷Ｒｌｏａｄの動作電力として有効利用されるので、電源効率を改善することができる。さらに又、本サージ吸収回路はダイオードＤ１３と電解コンデンサＣのみで構成できるので、非常に少ない部品で、電力損失を有効に抑制し、電源効率を有効に改善することが可能になる。
【００３５】
＜第二の実施形態＞
次に、図面を参照して本発明の第二の実施形態について説明する。
図２に、第二の実施形態に係るサージ吸収回路を適用したスイッチング電源装置の構成例を示す。同図において、前述の図１に示す要素と共通する要素には同一符号を付す。
図２に示すスイッチング電源装置は、シングルフォワード方式のスイッチング電源装置にサージ吸収回路（スナバ回路）を備えたものであり、スイッチＳ５、トランスＴ２０、ダイオードＤ２０〜Ｄ２３、電解コンデンサＣ２０、Ｃ２１、出力インダクタＬｏｕｔ、出力コンデンサＣｏｕｔ、電力再利用回路２００、負荷１０１を備えて構成される。このうち、ダイオードＤ２２、Ｄ２３と電解コンデンサＣ２０、Ｃ２１は、このスイッチング電源装置のサージ吸収回路を構成する。
【００３６】
構成を更に詳細に説明すると、入力端子ＴＩＮ１と入力端子ＴＩＮ２との間には、トランスＴ２０の一次巻線Ｌ２０とスイッチＳ５とが直列接続される。このスイッチＳ５は、１次側のスイッチング回路を構成する。但し、これに限定されず他のスイッチング回路でも良い。トランスＴ２０の２次巻線Ｌ２１の一端は、転流用のダイオードＤ２１のアノードに接続されると共に、出力端子ＴＯＵＴ２を介して接地される。
【００３７】
トランスＴ２０の２次巻線Ｌ２１の他端は整流用ダイオードＤ２０のアノードに接続される。整流用ダイオードＤ２０と転流用ダイオードＤ２１の各カソードは、出力インダクタＬｏｕｔの一端に共通接続され、この出力インダクタＬｏｕｔの他端は出力端子ＴＯＵＴ１に接続される。出力端子ＴＯＵＴ１と出力端子ＴＯＵＴ２との間には、出力コンデンサＣｏｕｔが接続される。
【００３８】
又、本発明の特徴であるサージ吸収回路を構成するダイオードＤ２２のアノードは整流用ダイオードＤ２０と転流用ダイオードＤ２１のカソードに接続され、ダイオードＤ２２のカソードは電解コンデンサＣ２０の一端に接続される。電解コンデンサＣ２０の他端は接地される。又、ダイオードＤ２３のアノードは整流用ダイオードＤ２０と転流用ダイオードＤ２１のカソードに接続され、このダイオードＤ２３のカソードは電解コンデンサＣ２１の一端に接続される。電解コンデンサＣ２１の他端は、整流用ダイオードＤ２０のアノードに接続される。
【００３９】
ダイオードＤ２２と電解コンデンサＣ２０との間の接続点には、電解コンデンサＣ２０を電源として動作する負荷１０１が接続される。又、電解コンデンサＣ２１の両端には、電解コンデンサＣ２１を電源として動作する電力再利用回路１００の入力部が接続される。なお、負荷１０１として電力再利用回路１００を接続しても良い。
【００４０】
次に、本実施形態に係るスイッチング電源装置の動作を説明する。
スイッチＳ５が所定のスイッチング動作（周知のスイッチング動作）を実施することによりトランスＴ２０の１次巻線Ｌ２０に断続的に電流が供給され、これによりトランスＴ２０の２次巻線Ｌ２１に電力が誘起される。この２次巻線Ｌ２１に誘起された電力は整流用ダイオードＤ２０によって整流された後、出力インダクタＬｏｕｔ及び出力コンデンサＣｏｕｔによって平滑される。
【００４１】
また、スイッチＳ５のスイッチング動作の過程でトランスＴ２０の2次巻線Ｌ２１に電力が誘起されない期間では、出力インダクタＬｏｕｔに蓄えられたエネルギーによって転流用ダイオードＤ２１を順方向電流が流れ、出力コンデンサＣｏｕｔによって平滑される。平滑された電力は、出力端子ＴＯＵＴ１とＴＯＵＴ２を介して電圧Ｖｏｕｔの直流電力として外部に出力される。
【００４２】
上述の動作の過程において、整流用ダイオードＤ２０及びダイオードＤ２１のうち、順バイアス状態から逆バイアス状態に移行したダイオードのカソード側に、前述したような寄生インダクタンスに起因するサージが発生する。このサージはサージ吸収回路を構成するダイオードＤ２２，Ｄ２３を介して電解コンデンサＣ２０，Ｃ２１に供給され、これら電解コンデンサＣ２０，Ｃ２１を充電する。
【００４３】
即ち、整流用ダイオードＤ２０が逆バイアス状態に移行した場合、そのカソードに発生したサージは、ダイオードＤ２３を介して電解コンデンサＣ２１に供給される。また、ダイオードＤ２１が逆バイアス状態に移行した場合、そのカソードに発生したサージは、ダイオードＤ２２を介して電解コンデンサＣ２０に供給される。
【００４４】
これにより、整流用ダイオードＤ２０及び転流用ダイオードＤ２１で発生した各サージによる電力が電解コンデンサＣ２０、Ｃ２１に蓄積される。このうち、電解コンデンサＣ２０に蓄積された電力は負荷１０１に供給されると共に、電解コンデンサＣ２１に蓄積された電力は、電力再利用回路１００内の負荷に供給される。このように、電解コンデンサＣ２０、Ｃ２１は、それぞれ負荷１０１および電力再利用回路１００の補助電源として機能し、電解コンデンサＣ２０、Ｃ２１に蓄積されたサージによる電力は有効利用される。
【００４５】
本実施形態によれば、整流用ダイオードＤ２０及び転流用ダイオードＤ２１のカソード側に発生した各サージは、即座にダイオードＤ２２、Ｄ２３を介して電解コンデンサＣ２０、Ｃ２１の充電にそれぞれ費やされるので、実質的に整流用ダイオードＤ２０、転流用ダイオードＤ２１の各カソード側にサージが顕在化しない。又、整流用ダイオードＤ２０のカソード側に発生したサージは、電解コンデンサＣ２０に供給されるまでに１段のダイオードＤ２３を通過するのみであり、転流用ダイオードＤ２１のカソード側に発生したサージは、電解コンデンサＣ２０に供給されるまでに１段のダイオードＤ２２を通過するのみである。従って、各サージが通過する経路上に介在する素子数は１個だけであり、この経路上で発生する損失を最小限に抑えることができる。
【００４６】
＜第三の実施形態＞
次に、図面を参照して本発明の第三の実施形態について説明する。
図３に、第三の実施形態に係るサージ吸収回路を適用したスイッチング電源装置の構成例を示す。同図において、前述の図１に示す要素と共通する要素には同一符号を付す。
図３に示すスイッチング電源装置は、フライバック方式もしくはＲＣＣ方式と呼ばれる方式のスイッチング電源装置にサージ吸収回路を備えたものであり、スイッチＳ５、トランスＴ３０、ダイオードＤ３０〜Ｄ３２、電解コンデンサＣ３０、Ｃ３１、出力コンデンサＣｏｕｔ、電力再利用回路２００を備えている。このうち、ダイオードＤ３２と電解コンデンサＣ３１は、サージ吸収回路を構成する。
【００４７】
ここで、構成を更に詳細に説明すると、入力端子ＴＩＮ１と入力端子ＴＩＮ２との間には、トランスＴ３０の一次巻線Ｌ３０とスイッチＳ５とが直列接続される。このスイッチＳ５は、１次側のスイッチング回路を構成する。但し、これに限定されず他の回路でも良い。また、２次巻線Ｌ３１の一端は、ダイオードＤ３１のアノードに接続されると共に出力端子ＴＯＵＴ２を介して接地される。２次巻線Ｌ３１の他端は、整流用ダイオードＤ３０のアノードに接続され、この整流用ダイオードＤ３０のカソードは出力端子ＴＯＵＴ１に接続される。出力端子ＴＯＵＴ１と出力端子ＴＯＵＴ２との間には平滑回路としての出力コンデンサＣｏｕｔが接続される。ダイオードＤ３１のカソードと２次巻線Ｌ３１の他端との間にはコンデンサＣ３０が接続される。
【００４８】
サージ吸収回路を構成するダイオードＤ３２のアノードは整流用ダイオードＤ３０のカソードに接続され、ダイオードＤ３２のカソードは電解コンデンサＣ３１の一端に接続され、電解コンデンサＣ３１の他端は、整流用ダイオードＤ３０のアノードに接続される。電解コンデンサＣ３１の両端には、この電解コンデンサＣ３１を電源として機能する電力再利用回路１００内のトランスＴ２の１次巻線が接続される。電力再利用回路１００は、前述の第一の実施形態と同一である。
【００４９】
本実施形態に係るスイッチング電源装置によれば、１次側のスイッチング動作に伴って整流用ダイオードＤ３０が逆バイアス状態に移行した際、この整流用ダイオードＤ３０のカソード側に発生したサージのエネルギーは、サージ吸収回路を構成するダイオードＤ３２を介して電解コンデンサＣ３１に供給され、このサージによる電力が電解コンデンサＣ３１に蓄えられる。そして、この電解コンデンサＣ３１に蓄えられた電力は、電力再利用回路１００で有効利用される。
【００５０】
ここで、ダイオードＤ３０のカソード側に発生したサージは、即座にダイオードＤ３２を介して電解コンデンサＣ３１の充電に費やされるので、実質的に整流用ダイオードＤ３０のカソード側にサージが顕在化しない。又、ダイオードＤ３０のカソード側に発生したサージは、電解コンデンサＣ３１に供給されるまでに１段のダイオードＤ３２を通過するのみである。従って、サージが通過する経路上に介在する素子数が１個だけであり、この経路上で発生する損失を最小限に抑えることができる。
【００５１】
＜第四の実施形態＞
次に、図面を参照して本発明の第四の実施形態について説明する。
図４に、第四の実施形態に係るサージ吸収回路を適用したスイッチング電源装置の構成例を示す。同図において、前述の図１に示す要素と共通する要素には同一符号を付す。
図４に示すスイッチング電源装置は、スイッチＳ５、トランスＴ４０、ダイオードＤ４０〜Ｄ４３、電解コンデンサＣ４０、Ｃ４１、出力インダクタＬｏｕｔ、出力コンデンサＣｏｕｔ、負荷１０１、１０２を備えている。このうち、ダイオードＤ４２、Ｄ４３と電解コンデンサＣ４０、Ｃ４１はサージ吸収回路を構成する。
【００５２】
ここで、構成を更に詳細に説明すると、入力端子ＴＩＮ１と入力端子ＴＩＮ２との間には、トランスＴ４０の一次巻線Ｌ４０とスイッチＳ５とが直列接続される。スイッチＳ５は、１次側のスイッチ回路を構成する。トランスＴ４０の２次巻線Ｌ４１の一端は、整流用ダイオードＤ４０のカソードに接続され、この整流用ダイオードＤ４０のアノードは出力端子ＴＯＵＴ２を介して接地される。２次巻線Ｌ４１の他端は、転流用ダイオードＤ４１のカソードに接続されると共に出力インダクタＬｏｕｔの一端に接続され、出力インダクタＬｏｕｔの他端は出力端子ＴＯＵＴ１に接続される。出力端子ＴＯＵＴ１と出力端子ＴＯＵＴ２との間には、平滑回路としての出力コンデンサＣｏｕｔが接続される。
【００５３】
サージ吸収回路を構成するダイオードＤ４２のアノードは整流用ダイオードＤ４０のカソードに接続され、ダイオードＤ４２のカソードは電解コンデンサＣ４０の一端に接続され、電解コンデンサＣ４０の他端は接地される。又、ダイオードＤ４３のアノードは上記転流用ダイオードＤ４１のカソードに接続され、ダイオードＤ４３のカソードは電解コンデンサＣ４１の一端に接続され、電解コンデンサＣ４１の他端は接地される。
【００５４】
ダイオードＤ４２と電解コンデンサＣ４０との間の接続点には、電解コンデンサＣ４０を電源として機能する負荷１０１が接続され、ダイオードＤ４３と電解コンデンサＣ４１との間の接続点には、電解コンデンサＣ４１を電源として機能する負荷１０２が接続される。これら負荷１０１、１０２として前出の電力再利用回路１００を接続しても良い。
【００５５】
本実施形態に係るスイッチング電源装置によれば、１次側のスイッチング動作によって整流用ダイオードＤ４０が逆バイアス状態に移行した際、この整流用ダイオードＤ４０のカソード側に発生したサージのエネルギーは、ダイオードＤ４２を介して電解コンデンサＣ４０に供給され、このサージによる電力が電解コンデンサＣ４０に蓄えられる。そして、この電解コンデンサＣ４０に蓄えられた電力は負荷１０１で利用される。
【００５６】
また、転流用ダイオードＤ４１が逆バイアス状態に移行した際、この転流用ダイオードＤ４１のカソード側に発生したサージのエネルギーは、サージ吸収回路を構成するダイオードＤ４３を介して電解コンデンサＣ４１に供給され、このサージによる電力が電解コンデンサＣ４１に蓄えられる。そして、この電解コンデンサＣ４１に蓄えられた電力は負荷１０２で利用される。このように、電解コンデンサＣ４０、Ｃ４１は負荷１０１，１０２の補助電源として機能し、サージによる電力が有効利用される。
【００５７】
ここで、整流用ダイオードＤ４０及び転流用ダイオードＤ４１のカソード側に発生した各サージは、即座にダイオードＤ４２、Ｄ４３を介して電解コンデンサＣ４０、Ｃ４１の充電に費やされるので、実質的に整流用ダイオードＤ４０及びダイオードＤ４１の各カソード側にサージが顕在化しない。又、整流用ダイオードＤ４０及びダイオードＤ４１のカソード側に発生した各サージは、電解コンデンサＣ４０、Ｃ４１に供給されるまでに１段のダイオードＤ４２又はＤ４３を通過するのみである。従って、サージが通過する経路上に介在する素子数が１個だけであり、この経路上で発生する損失を最小限に抑えることができる。
【００５８】
＜第五の実施形態＞
次に、図面を参照して本発明の第五の実施形態について説明する。
図５に、第五の実施形態に係るサージ吸収回路を適用したスイッチング電源装置の構成例を示す。同図において、前述の図１に示す要素と共通する要素には同一符号を付す。
図５に示すスイッチング電源装置は、スイッチＳ５、トランスＴ５０、ダイオードＤ５０、Ｄ５１、電解コンデンサＣ５０、出力コンデンサＣｏｕｔ、負荷１０１を備えている。このうち、ダイオードＤ５１と電解コンデンサＣ５０は、このスイッチング電源装置のサージ吸収回路を構成する。
【００５９】
ここで、構成を更に詳細に説明すると、入力端子ＴＩＮ１と入力端子ＴＩＮ２との間には、トランスＴ４０の一次巻線Ｌ４０とスイッチＳ５とが直列接続される。スイッチＳ５は１次側のスイッチング回路を構成する。トランスＴ５０の２次巻線Ｌ５１の一端は、整流用ダイオードＤ５０のカソードに接続され、この整流用ダイオードＤ５０のアノードは出力端子ＴＯＵＴ２を介して接地される。２次巻線Ｌ５１の他端は、出力端子ＴＯＵＴ１に接続される。出力端子ＴＯＵＴ１と出力端子ＴＯＵＴ２との間には、平滑回路として出力コンデンサＣｏｕｔが接続される。
【００６０】
サージ吸収回路を構成するダイオードＤ５１のアノードは整流用ダイオードＤ５０のカソードに接続され、ダイオードＤ５１のカソードは電解コンデンサＣ５０の一端に接続され、電解コンデンサＣ５０の他端は接地される。ダイオードＤ５１と電解コンデンサＣ５０との間の接続点には、電解コンデンサＣ５０を電源として機能する負荷１０１が接続される。この負荷１０１として、前述の電力再利用回路１００を接続してもよい。
【００６１】
本実施形態に係るスイッチング電源装置によれば、１次側のスイッチング動作に伴って整流用ダイオードＤ５０が逆バイアス状態に移行した際、この整流用ダイオードＤ５０のカソードに発生したサージのエネルギーは、サージ吸収回路を構成するダイオードＤ５１を介して電解コンデンサＣ５０に供給され、このサージによる電力が電解コンデンサＣ５０に蓄えられる。そして、この電解コンデンサＣ５０に蓄えられた電力は負荷１０１で有効利用される。
【００６２】
ここで、整流用ダイオードＤ５０のカソード側に発生したサージは、即座にダイオードＤ５１を介して電解コンデンサＣ５０の充電に費やされるので、実質的に整流用ダイオードＤ５０のカソード側に大きなサージが顕在化しない。又、ダイオードＤ５０のカソード側に発生した各サージは、電解コンデンサＣ５０に供給されるまでに１段のダイオードＤ５１を通過するのみである。従って、サージが通過する経路上に介在する素子数が１個だけであり、この経路上で発生する損失を最小限に抑えることができる。
【００６３】
＜第六の実施形態＞
次に、図面を参照して本発明の第六の実施形態について説明する。
図６に、第六の実施形態に係るサージ吸収回路を適用したスイッチング電源装置の構成例を示す。図６に示すスイッチング電源装置は、トランスＴ６０、ダイオードＤ６０〜Ｄ６７、電解コンデンサＣ６０〜Ｃ６３、出力インダクタＬｏｕｔ、出力コンデンサＣｏｕｔ、負荷１０１、１０２、電力再利用回路１０３、１０４を備えると共に、トランスＴ６０の１次側には、図１に示すトランスＴの１次側に接続されたスイッチング回路（Ｃｉｎ，スイッチＳ１〜Ｓ４）と同様の回路を備えている。このうち、ダイオードＤ６４〜Ｄ６７と電解コンデンサＣ６０〜Ｃ６３は、このスイッチング電源装置のサージ吸収回路を構成する。
【００６４】
更に詳細にトランスＴ６０の２次側の構成を説明すると、トランスＴ６０の２次巻線Ｌ６１の一端は、整流用ダイオードＤ６０のカソードと整流用ダイオードＤ６２のアノードに接続される。２次巻線Ｌ６１の他端は、整流用ダイオードＤ６１のカソードと整流用ダイオードＤ６３のアノードに接続される。整流用ダイオードＤ６０とＤ６１の各アノードは、出力端子ＴＯＵＴ２を介して接地される。整流用ダイオードＤ６２とＤ６３の各カソードは出力インダクタＬｏｕｔの一端に共通接続され、この出力インダクタＬｏｕｔの他端は出力端子ＴＯＵＴ１に接続される。出力端子ＴＯＵＴ１と出力端子ＴＯＵＴ２との間には、平滑回路として出力コンデンサＣｏｕｔが接続される。
【００６５】
上記の各整流用ダイオードにはサージ吸収回路が設けられる。即ち、整流用ダイオードＤ６０に対しては、ダイオードＤ６４及び電解コンデンサＣ６０からなるサージ吸収回路が設けられる。このサージ吸収回路を構成するダイオードＤ６４のアノードは整流用ダイオードＤ６０のカソードに接続され、ダイオードＤ６４のカソードは電解コンデンサＣ６０の一端に接続され、電解コンデンサＣ６０の他端は接地される。ダイオードＤ６４と電解コンデンサＣ６０との間の接続点には、電解コンデンサＣ６０を電源として機能する負荷１０１が接続される。
【００６６】
整流用ダイオードＤ６１に対しては、ダイオードＤ６５及び電解コンデンサＣ６１からなるサージ吸収回路が設けられる。このサージ吸収回路を構成するダイオードＤ６５のアノードは整流用ダイオードＤ６１のカソードに接続され、ダイオードＤ６５のカソードは電解コンデンサＣ６１の一端に接続され、電解コンデンサＣ６１の他端は接地される。ダイオードＤ６５と電解コンデンサＣ６１との間の接続点には、電解コンデンサＣ６１を電源として機能する負荷１０２が接続される。
【００６７】
整流用ダイオードＤ６２に対しては、ダイオードＤ６６及び電解コンデンサＣ６２からなるサージ吸収回路が設けられる。このサージ吸収回路を構成するダイオードＤ６６のアノードは整流用ダイオードＤ６２のカソードに接続され、ダイオードＤ６６のカソードは電解コンデンサＣ６２の一端に接続され、電解コンデンサＣ６２の他端は接地される。ダイオードＤ６６と電解コンデンサＣ６２との間の接続点には、電解コンデンサＣ６２を電源として機能する負荷１０３が接続される。
【００６８】
整流用ダイオードＤ６３に対しては、ダイオードＤ６７及び電解コンデンサＣ６３からなるサージ吸収回路が設けられる。このサージ吸収回路を構成するダイオードＤ６７のアノードは整流用ダイオードＤ６３のカソードに接続され、ダイオードＤ６７のカソードは電解コンデンサＣ６３の一端に接続され、電解コンデンサＣ６３の他端は接地される。ダイオードＤ６７と電解コンデンサＣ６３との間の接続点には、電解コンデンサＣ６３を電源として機能する負荷１０４が接続される。
なお、負荷１０１、１０２、１０３、１０４は、電解コンデンサＣ６０、Ｃ６１、Ｃ６２、Ｃ６３を電源として動作する任意の装置であり、前述の電力再利用回路１００を接続してもよい。
【００６９】
次に、本実施形態に係るスイッチング電源装置の動作を説明する。
本スイッチング電源装置によれば、トランスＴ６０の１次側に接続されたスイッチング回路が所定のスイッチング動作を実施することにより、トランスＴ６０の２次巻線Ｌ６１に交流電力が誘起される。この交流電力は、整流用ダイオードＤ６０，Ｄ６１，Ｄ６２，Ｄ６３からなる整流回路により全波整流される。この全波整流された電力は、出力インダクタンスＬｏｕｔ及び出力コンデンサＣｏｕｔにより平滑され、出力端子ＴＯＵＴ１，ＴＯＵＴ２を介して出力される。
【００７０】
ここで、２次巻線Ｌ６１に誘起された交流電力を整流する過程で、整流用ダイオードＤ６０，Ｄ６１，Ｄ６２，Ｄ６３が逆バイアス状態に移行した際、前述の寄生インダクタンスに起因して、各整流用ダイオードのカソード側にサージが発生し、このサージは各サージ吸収回路によって吸収される。即ち、整流用ダイオードＤ６０のカソードに発生したサージのエネルギーは、サージ吸収回路を構成するダイオードＤ６４を介して電解コンデンサＣ６０に供給され、このサージによる電力が電解コンデンサＣ６０に蓄えられる。そして、この電解コンデンサＣ６０に蓄えられた電力は負荷１０１で有効利用される。
【００７１】
同様に、他の整流用ダイオードＤ６１，Ｄ６２，Ｄ６３のカソードで発生したサージによる電力は、ダイオードＤ６５，Ｄ６６，Ｄ６７を介して電解コンデンサＣ６１，Ｃ６２，Ｃ６３に蓄えられ、その電力が負荷１０２，１０３，１０４で有効利用される。即ち、電解コンデンサＣ６０〜Ｃ６３は負荷１０１〜１０４の補助電源として機能し、この電解コンデンサＣ６０〜Ｃ６３に蓄えられた電力は負荷１０１〜１０４で有効利用される。
【００７２】
本実施形態によれば、整流用ダイオードＤ６０〜Ｄ６３のカソード側に発生したサージは、即座にダイオードＤ６４〜Ｄ６７を介して電解コンデンサＣ６０〜Ｃ６３の充電に費やされるので、実質的に整流用ダイオードＤ６０〜Ｄ６３のカソード側に大きなサージが顕在化しない。又、ダイオードＤ６０〜Ｄ６３のカソード側に発生した各サージは、電解コンデンサＣ６０〜Ｃ６３に供給されるまでに、それぞれ１段のダイオードＤ６４〜Ｄ６７を通過するのみである。従って、サージが通過する経路上に介在する素子数が１個だけであり、この経路上で発生する損失を最小限に抑えることができる。
【００７３】
以上、本発明の実施形態を詳述してきたが、具体的な構成は本実施形態に限られるものではなく、本発明の要旨を逸脱しない範囲の設計変更等も含まれる。
例えば、上述の各実施形態では、サージ吸収回路をダイオードＤ１３，Ｄ２２，Ｄ２３，Ｄ３２，Ｄ４２，Ｄ４３，Ｄ５１，Ｄ６４〜Ｄ６７と電解コンデンサＣ，Ｃ２０，Ｃ３１，Ｃ４０，Ｃ４１，Ｃ５０，Ｃ６０〜Ｃ６３の直列回路として説明したが、電力再利用回路１００及び負荷１０１〜１０４をサージ吸収回路の構成に含めても良い。
【００７４】
また、上述の各実施形態では、サージによる電力を電解コンデンサに蓄積するものとしたが、他の形式のコンデンサを採用してもよい。
また、上述の各実施形態において、トランスの１次側のスイッチング回路は、上述の例に限定されず、どのような構成であってもよい。また、トランスの２次側に接続される整流用ダイオードを含む整流回路の構成についても特に限定されない。
【図面の簡単な説明】
【００７５】
【図１】本発明の第一の実施形態に係るサージ吸収回路を備えたスイッチング電源装置の回路図である。
【図２】本発明の第二の実施形態に係るサージ吸収回路を備えたスイッチング電源装置の回路図である。
【図３】本発明の第三の実施形態に係るサージ吸収回路を備えたスイッチング電源装置の回路図である。
【図４】本発明の第四の実施形態に係るサージ吸収回路を備えたスイッチング電源装置の回路図である。
【図５】本発明の第五の実施形態に係るサージ吸収回路を備えたスイッチング電源装置の回路図である。
【図６】本発明の第六の実施形態に係るサージ吸収回路を備えたスイッチング電源装置の回路図である。
【図７】従来技術に係るスイッチング電源装置の回路図である。
【図８】サージの波形を示す波形図である。
【符号の説明】
【００７６】
Ｃｉｎ  入力コンデンサ、Ｓ１〜Ｓ６  スイッチ、Ｔ，Ｔ２０，Ｔ３０，Ｔ４０，Ｔ５０，Ｔ６０  トランス、Ｄ１１、Ｄ１２，Ｄ２０，Ｄ３０，Ｄ４０，Ｄ５０，Ｄ６０，Ｄ６１，Ｄ６２，Ｄ６３  整流用ダイオード、Ｄ１３，Ｄ２２，Ｄ２３，Ｄ３２，Ｄ４２，Ｄ４３，Ｄ５１，Ｄ６４，Ｄ６５，Ｄ６６，Ｄ６７  ダイオード、Ｌｏｕｔ  出力インダクタ、Ｃｏｕｔ  出力コンデンサ、Ｃ，Ｃ２０，Ｃ３１，Ｃ４０，Ｃ４１，Ｃ５０，Ｃ６０，Ｃ６１，Ｃ６２，Ｃ６３  電解コンデンサ、１００  電力再利用回路
【図１】
2007318964.tif 000003
【図２】
2007318964.tif 000004
【図３】
2007318964.tif 000005
【図４】
2007318964.tif 000006
【図５】
2007318964.tif 000007
【図６】
2007318964.tif 000008
【図７】
2007318964.tif 000009
【図８】
2007318964.tif 000010